(57)【要約】      （修正有）【課題】直流電圧ネットワークに接続するためのトラクション変換器回路をシンプルにする。【解決手段】直流電圧ネットワーク１に接続するためのトラクション変換器回路を運転するための方法が規定される。ここで、トラクション変換器回路は、ネットワーク変換器２と、一次巻線５及び二次巻線６を有する変圧器４と、変換器ユニット７とを有している。前記ネットワーク変換器２は、直流電圧側で、直流電圧回路３に接続され、その直流電圧回路３は、直流電圧ネットワーク１に切り替えられることが可能であり、また、前記ネットワーク変換器２は、交流電圧側で、前記変圧器４の一次巻線５に接続される。前記変換器ユニット７は、交流電圧側で、前記変圧器４の二次巻線６に接続される。前記ネットワーク変換器２は、前記ネットワーク変換器の交流電圧ＵＧの設定のための、予め決定可能なネットワーク変換器コントロール信号ＳＮによりコントロールされる。【選択図】図１
2007295789.tif 000002
【特許請求の範囲】
【請求項１】
直流電圧ネットワーク（１）に接続するためのトラクション変換器回路を運転するための方法であって、
前記トラクション変換器回路は、ネットワーク変換器（２）と、一次巻線（５）及び二次巻線（６）を有する変圧器（４）と、変換器ユニット（７）と、を有し、
前記ネットワーク変換器（２）は、直流電圧側で、直流電圧回路（３）に接続され、その直流電圧回路（３）は、直流電圧ネットワーク（１）に切り替えられることが可能であり、また、前記ネットワーク変換器（２）は、交流電圧側で、前記変圧器（４）の一次巻線（５）に接続され、
前記変換器ユニット（７）は、交流電圧側で、前記変圧器（４）の二次巻線（６）に接続され、
前記ネットワーク変換器（２）は、ネットワーク変換器の交流電圧（ＵＧ）を設定するための、予め規定可能なネットワーク変換器コントロール信号（ＳＮ）によりコントロールされる、
方法において、
前記ネットワーク変換器のコントロール信号（ＳＮ）が、基準矩形信号（ＳＣＩＫ）に従う矩形信号であることを特徴とする方法。
【請求項２】
下記特徴を有する請求項１に記載の方法：
前記ネットワーク変換器コントロール信号（ＳＮ）の周期は、５ｍｓと２５ｍｓの間に選択される。
【請求項３】
下記特徴を有する請求項１または２に記載の方法：
前記ネットワーク変換器コントロール信号（ＳＮ）の極性反転の時にはいつも、前記ネットワーク変換器コントロール信号（ＳＮ）の矩形信号は、調整可能な期間（ｔＮ）の間、最初にゼロ値を有し、そして、その調整可能な期間（ｔＮ）の満了後に、極性の反転が完了される。
【請求項４】
下記特徴を有する請求項３に記載の方法：
前記期間（ｔＮ）として、最大で、前記基準矩形信号（ＳＣＩＫ）の周期の半分の１０％が設定される。
【請求項５】
下記特徴を有する請求項１から４のいずれか１項に記載の方法：
前記変換器ユニット（７）は、変換器ユニット電流基準信号（Ｉｇｗ）に従ってコントロールされる。
【請求項６】
下記特徴を有する請求項５に記載の方法：
前記変換器ユニット電流基準信号（Ｉｇｗ）は、矩形信号である。
【請求項７】
下記特徴を有する請求項６に記載の方法：
前記ネットワーク変換器（２）から前記変換器ユニット（７）への電気的エネルギーの流れの場合の、前記ネットワーク変換器コントロール信号（ＳＮ）は、前記基準矩形信号（ＳＣＩＫ）に同位相で従い、
また、前記変換器ユニット電流基準信号（Ｉｇｗ）は、前記基準矩形信号（ＳＣＩＫ）に対して逆位相に選択され、
前記変換器ユニット電流基準信号（Ｉｇｗ）の極性の反転の時間は、前記基準矩形信号（ＳＣＩＫ）の極性の反転の時間に対応し、
且つ、前記変圧器（４）の二次巻線（６）での変換器ユニット電流（Ｉｇ）は、前記変換器ユニット電流基準信号（Ｉｇｗ）に従う。
【請求項８】
下記特徴を有する請求項７に記載の方法：
前記変換器ユニット電流（Ｉｇ）は、前記変換器ユニット電流基準信号（Ｉｇｗ）の一定の値の周りの許容範囲の閾値（Ｘｓ）について監視され、
また、前記基準矩形信号（ＳＣＩＫ）の周期の半分の中で、閾値（Ｘｓ）に初めて到達したとき、前記変圧器（４）での二次巻線（６）での変換器ユニット電圧（Ｕｇ）が、前記変換器ユニット（７）の適切なコントロールにより、前記基準矩形信号（ＳＣＩＫ）の極性に切り替えられる。
【請求項９】
下記特徴を有する請求項６に記載の方法：
前記変換器ユニット（７）から前記ネットワーク変換器（２）への電気的エネルギーの流れの場合の、前記変換器ユニット電流基準信号（Ｉｇｗ）が、前記基準矩形信号（ＳＣＩＫ）と同位相に選択され、
ここで、前記変換器ユニット電流基準信号（Ｉｇｗ）の極性の反転の時間は、前記基準矩形信号（ＳＣＩＫ）の極性の反転の時間に対応し、
また、前記変圧器（４）の二次巻線（６）の変換器ユニット電流（Ｉｇ）は、前記変換器ユニット電流基準信号（Ｉｇｗ）に従う。
【請求項１０】
下記特徴を有する請求項９に記載の方法：
前記変換器ユニット電流（Ｉｇ）は、前記変換器ユニット電流基準信号（Ｉｇｗ）の一定の値の周りの許容範囲の閾値（Ｘｓ）について監視され、
また、前記基準矩形信号（ＳＣＩＫ）の周期の半分の中で、閾値（Ｘｓ）に初めて到達したとき、前記変圧器（４）の二次巻線（６）での変換器ユニット電圧（Ｕｇ）が、前記変換器ユニット（７）の適切なコントロールにより、前記基準矩形信号（ＳＣＩＫ）の極性に切り替えられ、前記ネットワーク変換器コントロール信号（ＳＮ）が、前記基準矩形信号（ＳＣＩＫ）の極性に切り替えられる。
【請求項１１】
下記特徴を有する請求項８または１０に記載の方法：
前記基準矩形信号（ＳＣＩＫ）の周期の半分の中で、前記閾値（Ｘｓ）に初めて到達したとき、変換器ユニット電流（Ｉｇ）が、前記変換器ユニット（７）の適切なコントロールにより、前記許容範囲内に維持される。
【発明の詳細な説明】
【技術分野】
【０００１】
本発明は、パワー・エレクトロニクスの分野に係る。本発明は、独立請求項の前提部分に基づく、直流電圧ネットワークに接続するためのトラクション変換器回路を運転するための方法に基づいている。
【背景技術】
【０００２】
今日、トラクション（traction）変換器回路は、パワー・エレクトロニクスの分野で広く使用され、特に、例えば電気鉄道などのレール式の車両のために使用されている。特に、レール式の車両が複数の国にまたがって使用される場合、その駆動エネルギーが、異なる電源ネットワークから、即ち異なるネットワーク電圧の異なる直流電圧ネットワーク及び交流電圧ネットワークから、供給されることが可能でなければならない。このことは、直流電圧に基づく電源ネットワークに加えて、交流電圧に基づく電源ネットワークに接続されることも可能なトラクション変換器回路を必要とする。
【０００３】
普及している電源ネットワーク、特に、交流電圧源を有する鉄道ネットワークのための電源ネットワークは、周波数１６・２／３Ｈｚで１５ｋＶまたは５０Ｈｚで２５ｋＶの交流電圧に基づいている。普及している電源ネットワーク、特に、直流電圧源を有する鉄道ネットワークのための電源ネットワークは、１．５ｋＶまたは３ｋＶの直流電圧に基づいている。
【０００４】
直流電圧ネットワークに接続するための適切なトラクション変換器回路が、例えば、独国特許出願公開第 DE 1 479 558 Al 号明細書に規定されている。その中で、トラクション変換器回路は、ネットワーク変換器を有し、そのネットワーク変換器は、直流電圧側で、直流電圧回路に接続され、その直流電圧回路は、直流電圧ネットワークに切り替えられることが可能である。それに加えて、トラクション変換器回路は、一次巻線及び二次巻線を有する変圧器を有し、そのネットワーク変換器は、交流電圧側で、変圧器の一次巻線に接続されている。更にまた、変換器ユニットが設けられ、その変換器ユニットは、交流電圧側で、変圧器の二次巻線に接続されている。
【０００５】
この方法によれば、ネットワーク変換器は、ネットワーク変換器交流電圧を設定するための、予め決定可能なネットワーク変換器コントロール信号によりコントロールされ、そのネットワーク変換器コントロール信号は、典型的には、正弦波信号のパルス幅変調により生成され、それは一般的には、三角波信号を有する正弦波電圧信号であり、そのことの結果として、キロヘルツ領域のスイッチング周波数が、一般的に得られる。
【０００６】
その交流電圧側で、ネットワーク変換器は、基本周波数（例えば１００Ｈｚ）を有する電圧を発生する。その結果として、その２倍の周波数（２００Ｈｚ）の電力振動が得られ、    その電力振動は、直流電圧回路の中の直流電圧側に、従って直流電圧ネットワークの中に、送られてはならない。
【０００７】
この目的で、ＬＣフィルターの形態のフィルター回路（アクセプタ回路）が、直流電圧回路に設けられなければならず、このフィルター回路は、ネットワーク変換器の交流電圧側での電圧の基本周波数の２倍に、主として調整され、それによって、この２倍の周波数の電圧成分を、ネットワーク変換器の直流電圧側への流入を阻止することが可能になる。しかしながら、そのような、直流電圧側でのフィルター回路は、重量が非常に大きく、大きなスペースを必要とし、損失が大きく、トラクション変換器回路の信頼性を減少させ、ハードウエアのコストを大幅に増大させる。
【特許文献１】独国特許出願公開第 DE 1 479 558 Al 号明細書
【発明の開示】
【発明が解決しようとする課題】
【０００８】
従って、本発明の目的は、直流電圧ネットワークに接続するためのトラクション（traction）変換器回路であって、シンプルにすることが可能なトラクション変換器回路を規定することにある。
【課題を解決するための手段】
【０００９】
この目的は、請求項１の特徴により解決される。本発明の好ましい更なる展開は、従属請求項の中に規定されている。
【００１０】
直流電圧ネットワークに接続するためのトラクション変換器回路の運転のための、本発明に基づく方法によれば、トラクション変換器回路は、ネットワーク変換器を有し、そのネットワーク変換器は、直流電圧側で、直流電圧回路に接続され、その直流電圧回路は、直流電圧ネットワークに切り替えられることが可能である。更にまた、このトラクション変換器回路は、一次巻線及び二次巻線を有する変圧器を有し、前記ネットワーク変換器は、交流電圧側で、前記変圧器の一次巻線に接続される。更に、このトラクション変換器回路は、変換器ユニットを有し、その変換器ユニットは、交流電圧側で、前記変圧器の二次巻線に接続される。
【００１１】
この方法によれば、ネットワーク変換器は、ネットワーク変換器交流電圧を設定するための、予め決定可能なネットワーク変換器コントロール信号によりコントロールされる。本発明によれば、ネットワーク変換器コントロール信号は、基準矩形信号に従う矩形信号である。その結果として、低い強度を有する非常に低い周波数の電力振動のみが、ネットワーク変換器の直流電圧側に表れ、それによって、好ましくも、従来技術により知られている直流電圧回路でのフィルター回路を省略することが可能になり、かくして、トラクション変換器回路が大幅にシンプルになる。
【発明の効果】
【００１２】
本発明に基づく方法により、フィルター回路を省略することで、トラクション変換器回路に関して、重量、スペース及びハードウエアのコストを大幅に節約し、損失を減らし、トラクション変換器回路の信頼性及び稼働率を増大させることが、更にまた可能になる。ネットワーク静止型変換器の電力半導体スイッチも、矩形のネットワーク変換器コントロール信号により、より効率良く使用され、それと同時に、熱負荷が減少する。
【発明を実施するための最良の形態】
【００１３】
本発明の、この及び更なる目的、利点及び特徴は、図面を参照しながらの本発明の好ましい実施形態の以下の詳細な説明から明らかになる。
【００１４】
図面の中で使用されている参照符号及びそれらの意味は、まとめの形で、参照符号のリストの中に挙げられている。図面の中で、一般的に、同一の部分には、同一の参照符号が付されている。ここに記載された実施形態は、本発明の対象の例として用いられたものであって、本発明の範囲を限定するものではない。
【００１５】
図１に、直流電圧ネットワーク１に接続するためのトラクション変換器回路の実施形態が示されている。直流電圧ネットワークは、典型的には、１．５ｋＶまたは３ｋＶの直流電圧を有している。図１に示されているように、直流電圧ネットワーク１に接続するためのトラクション変換器回路は、ネットワーク変換器２を有し、そのネットワーク変換器２は、直流電圧側で、直流電圧回路３に接続され、その直流電圧回路３は、直流電圧ネットワーク１に切り替えられることが可能である。
【００１６】
前記直流電圧回路３は、この例では、１つの容量性のエネルギー貯蔵要素を有しているが、数個の、特に直列に接続された容量性のエネルギー貯蔵要素を有していても良い。更にまた、トラクション変換器回路は、一次巻線５及び二次巻線６を有する変圧器４を有し、ネットワーク変換器２は、交流電圧側で、変圧器４の一次巻線５に接続されている。これに加えて、トラクション変換器回路は、変換器ユニット７を有し、その変換器ユニット７は、交流電圧側で、変圧器４の二次巻線６に接続されている。
【００１７】
図１に例として示されているように、直流電圧回路８が、変換器ユニット７の直流電圧側に接続されることが可能であり、その直流電圧回路には、例えば駆動用変換器９が接続され、その駆動用変換器は、例えば駆動モータ１０に電気を供給する。この方法によれば、ネットワーク変換器２は、ネットワーク変換器交流電圧ＵＧを設定するための、予め決定可能なネットワーク変換器コントロール信号ＳＮによりコントロールされる。本発明によれば、ネットワーク変換器コントロール信号ＳＮは、基準矩形信号ＳＣＩＫに従う矩形信号である。    特に、基準矩形信号ＳＣＩＫ及びネットワーク変換器コントロール信号ＳＮは、それぞれ、周期的な過程を有し、ここにおいて、ネットワーク変換器コントロール信号ＳＮの期間が、５ｍｓと２５ｍｓの間に選択されることが特に有利であることが判明している。
【００１８】
図２は、ネットワーク変換器３から変換器ユニット７への電気的エネルギーの流れの場合の、本発明に基づく方法に基づく、基準矩形信号ＳＣＩＫ及びネットワーク変換器コントロール信号ＳＮの時間曲線、並びに、トラクション変換器回路の更なる物理的変数（これについては、後に詳細に説明する）を示している。
【００１９】
ネットワーク変換器コントロール信号ＳＮが、基準矩形信号ＳＣＩＫに従う矩形信号なので、小さな強度の非常に低い周波数の電力の振動のみが、ネットワーク変換器３の直流電圧側に現れ、それによって、好ましくも、従来技術により知られている直流電圧回路２でのフィルター回路を省略することが可能になり、かくして、トラクション変換器回路が大幅にシンプルになる。
【００２０】
本発明に基づく方法によりフィルター回路を省略することで、トラクション変換器回路に関して、重量、スペース及びハードウエアのコストを大幅に節約すること、並びに、損失を減らすこと、及びトラクション変換器回路の信頼性及び稼働率を増大させることが可能になる。それに加えて、ネットワーク静止型変換器３の電力半導体スイッチが、矩形のネットワーク変換器コントロール信号ＳＮにより、より効率良く使用され、それと同時に、熱負荷が減少する。ネットワーク静止型変換器の電力半導体スイッチの効率も、矩形のネットワーク変換器コントロール信号により増大し、同時に、熱負荷が減少する。
【００２１】
図３に、本発明に基づく方法の変形形態に基づく、トラクション変換器回路の基準矩形信号ＳＣＩＫ及びネットワーク変換器コントロール信号ＳＮの時間曲線、特に、ネットワーク変換器３から変換器ユニット７への電気的エネルギーの流れの場合のその時間曲線が示されている。ここで、ネットワーク変換器コントロール信号ＳＮの矩形信号は、ネットワーク変換器コントロール信号ＳＮの極性反転の時にはいつも、調整可能な期間ｔＮの間、最初にゼロ値を有し、それから、調整可能な期間ｔＮの満了後、極性の反転が行われる。
【００２２】
好ましくも、この方策により、トラクション変換器回路が典型的に持つことができるオープン変圧器巻線（図の明瞭性を確保するために、図１の中には示されていない）での、望ましくない過剰電圧を回避することが可能である。その理由は、好ましくも、それぞれのオープン変圧器巻線での、電圧の制動減衰が起こるからである。
【００２３】
好ましくは、最大で、基準矩形信号ＳＣＩＫの周期の半分の１０％が、好ましくは、期間ｔＮとして設定される。このように選択されたそのような期間ｔＮは、等価の減衰されたＲＣＬ共振回路の共振サイクルタイムの半分に、好ましくも対応する。
【００２４】
先に述べたように、図２は、ネットワーク変換器３から変換器ユニット７への電気的エネルギーの流れの場合の、基準矩形信号ＳＣＩＫ及びネットワーク変換器コントロール信号ＳＮの時間曲線、並びに、トラクション変換器回路の更なる物理的変数を示している。ネットワーク変換器３から変換器ユニット７への電気的エネルギーの流れは、例えば車両で使用される、特にレール式の車両で使用されるトラクション変換器回路の場合の、“ドライビング”（driving）の運転状態に対応している。その理由は、この運転状態において、変換器ユニット７は、直流電圧回路８に電力を供給し、次いでその直流電圧回路から、駆動モータ１０が駆動用変換器９により電力が供給されるからである。
【００２５】
この方法によれば、先に述べたように、ネットワーク変換器２は、ネットワーク変換器交流電圧ＵＧを設定するためのネットワーク変換器コントロール信号ＳＮによりコントロールされ、それによって、図２に示されているように、ネットワーク変換器交流電圧ＵＧは、ネットワーク変換器コントロール信号ＳＮに対応する矩形の同位相の曲線を有することになる。
【００２６】
図２によれば、変換器ユニット７は、変換器ユニット電流基準信号Ｉｇｗに従ってコントロールされる。変換器ユニット電流基準信号Ｉｇｗもまた、好ましくは、矩形信号である。図２によれば、ネットワーク変換器２から変換器ユニット７への電気的エネルギーの流れの間、ネットワーク変換器コントロール信号ＳＮは、基準矩形信号ＳＣＩＫに同位相で従う。即ち、ネットワーク変換器コントロール信号ＳＮは、時間の過程に関して、基準矩形信号ＳＣＩＫと同位相である。
【００２７】
更に、図２によれば、変換器ユニット電流基準信号Ｉｇｗは、基準矩形信号ＳＣＩＫと逆位相にに選択され、ここで、変換器ユニット電流基準信号Ｉｇｗの極性反転の時間は、基準矩形信号ＳＣＩＫの極性の反転の時間に対応する。更に、図２によれば、変圧器４の二次巻線６での変換器ユニット電流Ｉｇは、変換器ユニット電流基準信号Ｉｇｗに従う。即ち、変換器ユニット電流Ｉｇは、特に、変換器ユニット電流基準信号Ｉｇｗに調整され、ここで、変換器ユニット電流Ｉｇは、変圧器の浮遊インダクタンスのために、一般に、台形の曲線を呈する。先に述べた調整のために、特に、電流調整器が設けられる。
【００２８】
それに加えて、本発明に基づく方法に基づく変換器ユニット電流Ｉｇは、変換器ユニット電流基準信号Ｉｇｗの一定の値の周りの許容範囲の閾値Ｘｓについて監視される。変換器ユニット電流基準信号Ｉｇｗの一定の値の周りの許容幅は、図２において、二本の点線で示され、変換器ユニット電流基準信号Ｉｇｗの時間曲線は、破線で示されている。
【００２９】
基準矩形信号ＳＣＩＫの周期の半分の中で、閾値Ｘｓに初めて到達したとき、変換器ユニット電圧Ｕｇは、変換器ユニット７の適切なコントロールにより、変圧器４の二次巻線６で、図２に示されているように、基準矩形信号ＳＣＩＫの極性に切り替えられる。基準矩形信号ＳＣＩＫの周期の半分の中で、閾値Ｘｓに初めて到達したとき、変換器ユニット電流Ｉｇは、変換器ユニット７の適切なコントロールにより、許容範囲内に好ましくは維持され、かくして、図２に示されているように、その極性を次回の極性反転まで好ましくも保持する。
【００３０】
図２によれば、変換器ユニット電圧Ｕｇの曲線は、閾値Ｘｓに初めて到達したとき、且つ変換器ユニット７の適切なコントロールにより、変換器ユニット７の前記コントロールから得られ、それによって、変換器ユニット電流Ｉｇが、許容範囲内に維持される。
【００３１】
全体として、変換器ユニット７の電力半導体スイッチは、変換器ユニット電流基準信号Ｉｇｗを矩形に予め決定することにより、且つ、変換器ユニット電流Ｉｇに従うことにより、並びに以上で述べた更なる方策により、非常に効率良く使用されることが可能である。その結果として、変換器ユニット７の電力半導体スイッチの損失が減少し、そして、変換器ユニット７の信頼性、従ってトラクション変換器回路全体の信頼性が増大する。
【００３２】
図４は、変換器ユニット７からネットワーク変換器２への電気的エネルギーの流れの場合の、基準矩形信号ＳＣＩＫの時間曲線、ネットワーク変換器コントロール信号ＳＮ、変換器ユニット電流基準信号Ｉｇｗ、変換器ユニット電流Ｉｇ、ネットワーク変換器交流電圧ＵＧ、及び、変換器ユニット電圧Ｕｇを示している。
【００３３】
変換器ユニット７からネットワーク変換器２への電気的エネルギーの流れは、例えば車両で、特にレール式の車両で使用されるトラクション変換器回路において、“ブレーキング”（braking）の運転状態に対応する。その理由は、駆動モータ１０が、この運転状態において、直流電圧回路８に駆動用変換器９により電力を供給し、次いで、その駆動用変換器から、電気的エネルギーが、直流電圧ネットワーク１へ、変換器ユニット７、変圧器４及びネットワーク変換器２によりから供給されるからである。
【００３４】
この方法によれば、先に説明したように、ネットワーク変換器２は、ネットワーク変換器交流電圧ＵＧを設定するためのネットワーク変換器コントロール信号ＳＮによりコントロールされ、それによって、ネットワーク変換器交流電圧ＵＧは、図４に示されているように、ネットワーク変換器コントロール信号ＳＮに対応する矩形の同位相の曲線を有することになる。図４によれば、変換器ユニット７もまた、変換器ユニット電流基準信号Ｉｇｗに従ってコントロールされ、ここで、変換器ユニット電流基準信号Ｉｇｗもまた、好ましくは矩形信号である。  図４によれば、変換器ユニット７からネットワーク変換器２への電気的エネルギーの流れの場合、変換器ユニット電流基準信号Ｉｇｗは、今や、基準矩形信号ＳＣＩＫと同位相に選択される、これに対して、変換器ユニット電流基準信号Ｉｇｗの極性の反転の時間は、基準矩形信号ＳＣＩＫの極性の反転の時間に対応する。
【００３５】
それに加えて、変圧器４の二次巻線６での変換器ユニット電流Ｉｇは、変換器ユニット電流基準信号Ｉｇｗに従う。即ち、変換器ユニット電流Ｉｇは、特に、変換器ユニット電流基準信号Ｉｇｗに調整され、これに対して変換器ユニット電流Ｉｇは、変圧器の浮遊インダクタンスのために、一般に台形の曲線を呈する。先に述べたコントロールのために、前記電流調整器が、特に、設けられる。それに加えて、変換器ユニット電流Ｉｇが、変換器ユニット電流基準信号Ｉｇｗの一定の値の周りの許容範囲の閾値Ｘｓについて監視される。変換器ユニット電流基準信号Ｉｇｗの一定の値の周りの許容幅は、図４の中で、二本の点線で示され、これに対して、変換器ユニット電流基準信号Ｉｇｗの時間曲線は、破線で示されている。
【００３６】
基準矩形信号ＳＣＩＫの周期の半分の中で、閾値Ｘｓに初めて到達したとき、変圧器４の二次巻線６での変換器ユニット電圧Ｕｇは、変換器ユニット７の適切なコントロールにより、基準矩形信号ＳＣＩＫの極性に切り替えられ、そして、ネットワーク変換器コントロール信号ＳＮは、図４に示すように、基準の極性に切り替えられる。基準矩形信号ＳＣＩＫの周期の半分の中で、閾値Ｘｓに初めて到達したとき、変換器ユニット電流Ｉｇは、好ましくは、変換器ユニット７の適切なコントロールにより許容範囲内に維持され、かくして、好ましくも、図４に示されているように、その極性を次回の極性反転まで維持する。
【００３７】
図４による変換器ユニット電圧Ｕｇの曲線は、閾値Ｘｓに初めて到達したとき、且つ変換器ユニット７の適切なコントロールにより、変換器ユニット７の設定されたコントロールから得られ、それによって、変換器ユニット電流Ｉｇが、許容範囲内に維持されることになる。
【００３８】
全体として、変換器ユニット７の電力半導体スイッチは、変換器ユニット電流基準信号Ｉｇｗを矩形に予め決定することにより、且つ、変換器ユニット電流Ｉｇに従うことにより、並びに先に述べた更なる方策により、変換器ユニット７からネットワーク変換器２への電気的エネルギーの流れの場合であっても、非常に効率良く使用されることが可能になる。その結果として、変換器ユニット７の電力半導体スイッチの損失もまた、トラクション変換器回路のこの運転状態で、減少し、変換器ユニット７の信頼性、従ってトラクション変換器回路全体の信頼性が、増大する。
【図面の簡単な説明】
【００３９】
【図１】図１は、直流電圧ネットワークに接続するためのトラクション変換器回路の実施形態を示す。
【図２】図２は、本発明に基づく方法に基づく、トラクション変換器回路のネットワーク変換器からトラクション変換器回路の変換器ユニットへの電気的エネルギーの流れの場合の、トラクション変換器回路の物理的変数の時間曲線を示す。
【図３】図３は、本発明に基づく方法の変形形態に基づく、トラクション変換器回路の基準矩形信号及びネットワーク変換器コントロール信号の時間曲線を示す。
【図４】図４は、本発明に基づく方法に基づく、トラクション変換器回路のネットワーク変換器からトラクション変換器回路の変換器ユニットへの電気的エネルギーの流れの場合の、トラクション変換器回路の物理的変数の時間曲線を示す。
【符号の説明】
【００４０】
１…直流電圧ネットワーク、２…ネットワーク変換器、３…直流電圧回路、４…変圧器、５…変圧器の一次巻線、６…変圧器の二次巻線、７…変換器ユニット、８…直流電圧回路、９…駆動用変換器、１０…駆動モータ。
【図１】
2007295789.tif 000003
【図２】
2007295789.tif 000004
【図３】
2007295789.tif 000005
【図４】
2007295789.tif 000006
【外国語明細書】
2007295789000001.pdf